(57)【要約】【課題】ＲＦＩＤ誘導システム、ＲＦＩＤ表示装置とそれらを使用するジグソーパズルシステムを提供する。【解決手段】ＲＦＩＤ誘導システムは、少なくともＲＦＩＤリーダーと、ＲＦＩＤ表示装置を含む。ＲＦＩＤリーダーをプラットフォームに設け、無線信号を発生する。ＲＦＩＤ表示装置は、表示パネルとパネルを有する。ＲＦＩＤ表示装置に無線信号の入力があるときは、表示パネルの表示状態は改変される。パネルは、文字又は画像を有する。表示パネルが不透明状態のとき、文字又は画像の少なくとも一部分は表示パネルによって遮られる。これに対して、表示パネルが透明状態のとき、文字又は画像の少なくとも一部分を表示することができる。パネルにジグソーパズルの画像を有するとき、複数のＲＦＩＤ表示装置はジグソーパズルとして使用できる。【選択図】図６
2009061276.tif 000002
【特許請求の範囲】
【請求項１】
プラットフォームと、
少なくとも一つのＲＦＩＤリーダーを、プラットフォームに設け、無線信号を発信し、
少なくとも一つのＲＦＩＤ表示装置は、ＲＦＩＤアンテナ、電源入力モジュール、表示パネル及び表示ドライバーモジュールを含め、該ＲＦＩＤアンテナは該無線信号を受信し、該電源入力モジュールは該無線信号に従い電源を出力し、該表示ドライバーモジュールは該電源を受信し、該表示パネルを駆動して、表示状態を改変することを特徴とするＲＦＩＤ誘導システム。
【請求項２】
該ＲＦＩＤ表示装置はパネルをさらに含み、
該パネルは文字又は画像を有し、該表示パネルが不透明状態のとき、該文字又は画像少なくとも一部分は該表示パネルによって遮られる、これに対して、該表示パネルが透明状態のとき、該文字又は画像が表示されることを特徴とする請求項１に記載のＲＦＩＤ誘導システム。
【請求項３】
該ＲＦＩＤ表示装置が複数あるとき、該ＲＦＩＤ表示装置のパネルの画像はジグソーパズル画像を形成することを特徴とする請求項２に記載のＲＦＩＤ誘導システム。
【請求項４】
ディスプレイをさらに備え、
該ディスプレイを該プラットフォームに設け、該ＲＦＩＤ表示装置を該ディスプレイに取付け、該ＲＦＩＤ表示装置の表示パネルが不透明状態のとき、該ディスプレイの表示内容は該ＲＦＩＤ表示装置によって遮られる、一方、該ＲＦＩＤ表示装置の表示パネルが透明状態のとき、該ディスプレイの表示内容は表示できることを特徴とする請求項１に記載のＲＦＩＤ誘導システム。
【請求項５】
該電源入力モジュールは、ＲＦＩＤ−直流切換（ＲＦ−ｔｏ−ＤＣ）回路を含むことを特徴とする請求項１に記載のＲＦＩＤ誘導システム。
【請求項６】
該ＲＦＩＤ表示装置は電源管理モジュールをさらに含み、それぞれの直流電圧を形成することを特徴とする請求項１に記載のＲＦＩＤ誘導システム。
【請求項７】
ＲＦＩＤアンテナが、無線信号を受信し、
電源入力モジュールは、該無線信号に従い、電源を出力し、
表示パネルと、
表示ドライバーモジュールは、該電源を入力し、表示パネルを駆動して、表示状態を改変することを特徴とするＲＦＩＤ表示装置。
【請求項８】
変調モジュールと格納モジュールとをさらに備え、
該格納モジュールに識別データが格納され、
該変調モジュールは該電源を入力し、該識別データを変調して、該ＲＦＩＤアンテナを介して、該識別データを伝送することを特徴とする請求項７に記載のＲＦＩＤ表示装置。
【請求項９】
復調モジュールをさらに備え、該無線信号より通信データを復調し、該表示ドライバーモジュールは、該通信データに従い、該表示パネルの表示状態を制御することを特徴とする請求項７に記載のＲＦＩＤ表示装置。
【請求項１０】
該表示パネルは複数の画素を有し、該表示ドライバーモジュールは当該画素の状態を制御して、画像を表示することを特徴とする請求項７に記載のＲＦＩＤ表示装置。
【請求項１１】
パネルをさらに含み、
該パネルは文字又は画像を有し、該表示パネルが不透明状態のとき、該文字又は画像少なくとも一部分は該表示パネルによって遮られる、これに対して、該表示パネルが透明状態のとき、該文字又は画像が表示されることを特徴とする請求項７に記載のＲＦＩＤ表示装置。
【請求項１２】
該電源入力モジュールは、ＲＦＩＤ−直流切換（ＲＦ−ｔｏ−ＤＣ）回路を含むことを特徴とする請求項７に記載のＲＦＩＤ表示装置。
【請求項１３】
該ＲＦＩＤ表示装置は電源管理モジュールをさらに含み、それぞれの直流電圧を形成することを特徴とする請求項７に記載のＲＦＩＤ表示装置。
【請求項１４】
複数のジグソーパズルピースを有し、各ジグソーパズルピースにＲＦＩＤ識別モジュール、表示パネル、及び表示ドライバーモジュールを含み、ＲＦＩＤ識別モジュールに、識別コードが格納され、
ジグソーパズルプラットフォームに、ジグソーパズルピースを並べ、
複数のＲＦＩＤリーダーは、該ジグソーパズルプラットフォームに設け、各ＲＦＩＤリーダーより無線信号を発信し、該識別コードを読み取り、
格納装置は、該ジグソーパズルプラットフォームに設け、該識別コードと該ＲＦＩＤリーダーとの対応関係データを記録し、
処理装置は、該ジグソーパズルプラットフォームに設け、当該ＲＦＩＤリーダーより読み取った識別コードを獲得し、対応関係データに基づいて、当該ＲＦＩＤリーダーから読み取った識別コードの適合性を判断する。適合を判断したときは、処理装置は適合のＲＦＩＤリーダーを制御し、無線信号を継続に発生させ、
そのうち、該ジグソーパズルピースのＲＦＩＤ識別モジュールに無線信号が入力されると、該ＲＦＩＤ識別モジュールより電源を発生し、該表示ドライバーモジュールに提供することにより、該表示ドライバーモジュールにより表示状態を改変し、ジグソーパズルピースのジグソーパズル画像を表示することを特徴とするジグソーパズルシステム。
【請求項１５】
該処理装置は、該ＲＦＩＤリーダーと該ＲＦＩＤリーダーより読み取った識別コードに適合性がないとき、該処理装置は該ＲＦＩＤリーダーを制御し、無線信号の送出を中止することを特徴とする請求項１４に記載のジグソーパズルシステム。
【請求項１６】
該ＲＦＩＤリーダーはアレイ方式で配列し、該処理装置は走査方式により当該ＲＦＩＤリーダーが読み取った識別コードを読み取ることを特徴とする請求項１４に記載のジグソーパズルシステム。
【請求項１７】
該ジグソーパズルピースはさらに、該ジグソーパズル画像のパネルを有し、該ジグソーパズルピースに無線信号の入力がないとき、該表示パネルは不透明状態で、該ジグソーパズル画像を遮り、該ジグソーパズルピースに無線信号の入力があるとき、該表示ドライバーモジュールより、該表示パネルを透明状態に駆動し、該ジグソーパズル画像を表示することを特徴とする請求項１４に記載のジグソーパズルシステム。
【請求項１８】
該表示パネルは複数の画素を有し、該ジグソーパズルピースに無線信号入力があるとき、該表示ドライバーモジュールは当該画素の状態を制御して、該ジグソーパズル画像を表示することを特徴とする請求項１４記載のジグソーパズルシステム。
【発明の詳細な説明】
【技術分野】
【０００１】
本発明は、ＲＦＩＤ誘導システム、ＲＦＩＤ表示装置とそれらを使用するジグソーパズルシステムであり、特に、無線方式の電源発生により表示パネルを駆動し、表示状態を改変する技術に関する。
【背景技術】
【０００２】
図１の公知技術による表示装置のブロック図を参照する。図示の表示装置は、ソーラーパネル１１（Ｓｏｌａｒ  Ｐａｎｅｌ）、表示ドライバーモジュール１２、液晶パネル１３（Ｌｉｑｕｉｄ  Ｃｒｙｓｔａｌ  Ｐａｎｅｌ）及びキャリア１４を含む。
【０００３】
引き続き、図２の公知技術による立体図その２を参照する。ソーラーパネル１１は光源１１１を受け入れて、電源１１２を出力する。表示ドライバーモジュール１２は、電源１１２の入力により、液晶パネル１３の液晶配列を駆動して、不透明状態から透明状態に変換するや、又は逆に透明（ｔｒａｎｓｐａｒｅｎｔ）状態から不透明（ｏｐａｑｕｅ）状態へと表示状態を改変する。
【０００４】
引き続きに、図３と図４公知技術による立体図その２とその３を参照する。キャリア１４に画像１４１を有し、表示パネル１３が不透明状態のとき、画像１４１は液晶パネル１３によって遮られる。そこで、液晶パネル１３が透明状態のとき、画像１４１を表示できる。
【発明の開示】
【発明が解決しようとする課題】
【０００５】
しかしながら、この種の表示装置に光源を照射させないと、表示効果がないため、アクセサリ、キーリングなどの使用にとどまり、複雑形、かつ、利用者との対話交流システムを要求する分野に使用することができない。
【課題を解決するための手段】
【０００６】
本発明は、以上に述べた公知技術の課題について、公知技術による表示装置は光源による表示パネルの表示状態を改変する機能しかないことから、他の応用分野に利用できないことを解決する、ＲＦＩＤ誘導システム、ＲＦＩＤ表示装置とそれらを使用するジグソーパズルシステムを提供することを主な目的とする。
【０００７】
前記した本発明の目的を達成するため、一種のＲＦＩＤ誘導システムを提供し、主にプラットフォーム、少なくとも一つのＲＦＩＤリーダー、及び少なくとも一つのＲＦＩＤ表示装置を含む。ＲＦＩＤリーダーをプラットフォームに設け、無線信号を発信する。ＲＦＩＤ表示装置は、ＲＦＩＤアンテナ、電源入力モジュール、表示パネル及び表示ドライバーモジュールを含む。ＲＦＩＤアンテナは無線信号を受信し、電源入力モジュールは無線信号に従い誘導電源を発生し、表示ドライバーモジュールに電源を入力して、表示パネルを駆動し、表示状態を改変する。
【０００８】
ＲＦＩＤ表示装置はさらにパネルを含め、文字又は画像を有する。表示パネルが不透明状態のとき、文字又は画像の少なくとも一部分は表示パネルによって遮られる。これに対して、表示パネルが透明状態のとき、文字又は画像の少なくとも一部分を表示することができる。
【０００９】
本発明は、ＲＦＩＤアンテナ、電源入力モジュール、表示パネル及び表示ドライバーモジュールを含むＲＦＩＤ表示装置を提供することをもう一つの目的とする。ＲＦＩＤアンテナは無線信号を受信し、電源入力モジュールは無線信号に従い、誘導電源を発生する。表示ドライバーモジュールは電源を受け入れて、表示パネルを駆動して、表示状態を改変する。
【００１０】
そのうち、表示パネルは複数の画素を有し、表示ドライバーモジュールは画素状態を制御して画像を表示する。
【００１１】
本発明は、複数のジグソーパズルピース、ジグソーパズルプラットフォーム、複数のＲＦＩＤリーダー、格納装置及び処理装置を含むジグソーパズルシステムを提供することをさらに一つの目的とする。それぞれのジグソーパズルピースはＲＦＩＤ識別モジュール、表示パネル、及び表示ドライバーモジュールを含め、ＲＦＩＤ識別モジュールに識別コードが格納されている。ジグソーパズルプラットフォームに、ジグソーパズルピースを並べる。ＲＦＩＤリーダーはジグソーパズルプラットフォームに設け、各ＲＦＩＤリーダーより無線信号を発信し、該識別コードを読み取る。格納装置はジグソーパズルプラットフォームに設け、識別コードとＲＦＩＤリーダーとの対応関係データを記録する。処理装置はジグソーパズルプラットフォームに設け、各ＲＦＩＤリーダーより読み取った識別コードを受信した後、対応関係データに基づいて、各ＲＦＩＤリーダーから読み取った識別コードの適合性を判断する。適合を判断したときは、処理装置は適合のＲＦＩＤリーダーを制御し、無線信号を継続に発信させる。そのうち、ジグソーパズルピースのＲＦＩＤ識別モジュールに無線信号が入力されると、ＲＦＩＤ識別モジュールより電源を発生し、表示ドライバーモジュールに提供することにより、表示ドライバーモジュールが表示状態を改変し、ジグソーパズルピースのジグソーパズル画像を表示する。
【００１２】
それに伴い、処理装置は読み取ったＲＦＩＤリーダー同士の識別コードに適合性ないと判断したとき、処理装置は無線信号の発信を中止させる。
【発明の効果】
【００１３】
前記の通り、本発明によるＲＦＩＤ誘導システムと、ＲＦＩＤ表示装置及びそれらを使用するジグソーパズルシステム、該ＲＦＩＤ誘導表示装置と、それらを使用するジグソーパズルシステムは以下の長所を有する。
【００１４】
イ．無線誘導方式により電源を発生し、表示パネルの表示状態を改変して、パネル上の文字又は画像の表示もしくは非表示により、操作状態に従い文字又は画像を表示する効果がある。
【００１５】
ロ．表示ドライバーモジュールにより、複数の画素を制御できるため、動画による情報表示ができる。
【００１６】
ハ．ＲＦＩＤ表示装置に内蔵された識別コードと、ＲＦＩＤリーダーとの通信により、表示パネルの表示メッセージを改変できる。
【発明を実施するための最良の形態】
【００１７】
（実施例１）
図５に、本発明によるＲＦＩＤ誘導システムのブロック図を示す。この図において、ＲＦＩＤ誘導システムは、プラットフォーム２１、ＲＦＩＤリーダー２２及びＲＦＩＤ表示装置２３を含む。
【００１８】
ＲＦＩＤリーダー２２はプラットフォーム２１に設け、無線信号２２１を発信する。必要に応じて、ＲＦＩＤ表示装置２３の識別コードを受信するか、又は関連情報を伝送し、ＲＦＩＤ表示装置２３の識別コード又は表示内容のデータを改変する。ＲＦＩＤ表示装置２３は、ＲＦＩＤアンテナ２３１（ＲＦ  ｒｅｃｅｉｖｅｒ−ｔａｎｓｍｉｔｔｅｒ  ａｎｔｅｎｎａ）、電源入力モジュール２３２、表示パネル２３３及び表示ドライバーモジュール２３４を含む。ＲＦＩＤアンテナ２３１は、無線信号２２１を受信する。電源入力モジュール２３２と無線信号２２１との電磁誘導により、電源２３５を出力する。表示ドライバーモジュール２３４は電源２３５を受け入れて、表示パネル２３３を駆動し、表示状態を改変する。これにより、ＲＦＩＤ表示装置２３は無線信号２２１の受信又は無線信号２２１を非受信のとき、表示パネル２３３はそれぞれの表示状態を示す。
【００１９】
そのうち、前記の表示パネル２３３は液晶パネルが好まく、入力電圧により液晶分子の配列方向を改変させ、表示パネルの表示状態を非透明又は透明状態に制御することができる。このほか、表示パネル２３３が電源消費型パネルのとき、電源入力モジュール２３２の発生電源２３５は、表示パネル２３３に提供することができる。
【００２０】
図６と図７は、それぞれ本発明によるＲＦＩＤ誘導システム実施例１のブロック図とＲＦＩＤ表示装置の構造概略図である。この図において、ＲＦＩＤ誘導システムは、プラットフォーム３１、複数のＲＦＩＤリーダー３２及び複数のＲＦＩＤ表示装置３３を含む。
【００２１】
ＲＦＩＤリーダー３２より無線信号３２１を発信する。各ＲＦＩＤ表示装置３３は、ＲＦＩＤアンテナ３３１、電源入力モジュール３３２、電源管理モジュール３３２３、表示パネル３３３、表示ドライバーモジュール３３４、パネル３３５及び透明板３３６を含む。
【００２２】
ＲＦＩＤアンテナ３３１は無線信号３２１を受信し、電源入力モジュール３３２はＲＦＩＤ−直流切換（ＲＦ−ｔｏ−ＤＣ）回路３３２１を有し、無線信号３２１を直流電源３３７に変換する。素子ごとにそれぞれの電圧電源を使用するため、電源管理モジュール３３２３は複数電圧値の電源３３７を供給できる。さらに、説明の都合上、図示は電源３３７を用いて、すべての電圧値の電源を表す。電源管理モジュール３３２３はさらに、複数の電圧調節装置（Ｒｅｇｕｌａｔｏｒ）又は複数の直流−直流変換回路を設けても良い。
【００２３】
表示ドライバーモジュール３３４は電源３３７を受け入れた後に、表示パネル３３３を駆動制御する。表示パネル３３３は、透明板３３６とパネル３３５との間に設け、かつ、パネル３３５少なくとも一部分を遮る。表示パネル３３３は表示ドライバーモジュール３３４の制御信号に従い、液晶分子の配列方向を改変するとき、表示状態は不透明状態から透明状態に変更し、パネル３３５上の図案を表示させる。そこで、表示パネル３３３の表示状態が不透明状態のとき、表示パネル３３３はパネル３３５上の図案は遮られる。
【００２４】
図６、８及び９を参照する。そのうち、図８と９は、それぞれ本発明によるＲＦＩＤ誘導システム実施例１の概略図その１と概略図その２である。ＲＦＩＤ表示装置３３を対応のＲＦＩＤリーダー３２の上部に置くと、表示パネル３３３は不透明状態から透明状態に変わって、パネル３３５の画像３３５１が表示される。実施するとき、パネル３３５の画像はジグソーパズル画像、プラットフォーム平台３１はジグソーパズルプラットフォームであっても良い。
【００２５】
図１０と１１に、本発明によるＲＦＩＤ表示装置実施例２のブロック図と概略図その１を示す。この図において、ＲＦＩＤ表示装置４はＲＦＩＤアンテナ４１、電源入力モジュール４２、表示ドライバーモジュール４３、表示パネル４４、変調モジュール４５、格納モジュール４６、復調モジュール４７、パネル４８及び処理モジュール４９を含め、電源入力モジュール４２はＲＦＩＤ−直流切換回路４２１、ＲＦＩＤ保護回路４２２を有する。そのうち、電源入力モジュール４２、表示ドライバーモジュール４３と表示パネル４４の機能は、実施例１に同様のため、ここでの説明を省略する。
【００２６】
電源入力モジュール４２は、電源４２４を変調モジュール４５、格納モジュール４６、復調モジュール４７、表示ドライバーモジュール４３及び表示パネル４４にそれぞれ供給する。格納モジュール４６は、識別データ４６１を格納し、変調モジュール４５は識別データ４６１を変調した上、変調後の識別データ４６１はＲＦＩＤアンテナ４１を介して、無線方式により伝送する。復調モジュール４７はＲＦＩＤアンテナ４１から受信した無線信号４１１のうち、通信データ４７１を復調し、処理モジュール４９に伝送する。処理モジュール４９が通信データ４７１を表示ドライバーモジュール４３に伝送することにより、表示ドライバーモジュール４３は通信データ４７１に従い、表示パネル４４の表示状態を制御する。本実施例において、表示パネル４４はさらに複数の表示区域４４１に分け、かつ、ＲＦＩＤ表示装置４はストアバリューカードにより実施される。ただし、この限りでない。一方、前記のＲＦＩＤアンテナ４１、電源入力モジュール４２、変調モジュール４５、格納モジュール４６、復調モジュール４７はＲＦＩＤ（無線周波数識別）モジュールによって実施し、ＲＦＩＤ表示装置４はジグソーパズルピースによって実施される。
【００２７】
そのうち、ＲＦＩＤ誘導表示装置４をストアバリューカード（イージーカード又は電子マネー）に、格納モジュール４６にストアバリュー情報４６２に格納するようにそれぞれ実施し、ストアバリューカードにストアバリューすると、処理モジュール４９は通信データ４７１に従い、ストアバリュー情報４６２を格納して、ストアバリューを完成する。
【００２８】
このほか、ＲＦＩＤ表示装置４の応用分野に従い、この装置はさらに電源管理モジュール４２７と外部電源４２５を含めても良い、電源管理モジュール４２７は主に、誘導電源４２４のさらなる処理を行う。一例として、格納モジュール４６は復調モジュール４７によって復調された通信データ４７１を格納するとき、処理モジュール４９は通信データ４７１を格納モジュール４６の入力端に伝送すると同時に、格納モジュール４６へのデータ書き込みにより高い電圧値の書き込み電源が必要のため、同期処理モジュール４９は電源管理モジュール４２７を制御し、直流−直流回路４２７１を介して、それぞれの電圧値を相応しいましい書き込み電源４２４を格納モジュール４６に提供するか、又は相応しい操作電源４２４を表示パネル４４、表示ドライバーモジュール43、処理モジュール４９、変調モジュール４５及び復調モジュール４７に提供し使用に備える。図１０は説明の都合上、電圧値それぞれ異なる電源は、すべて電源４２４で代表する。さらに、表示パネル４４のカラー化、又は誘導距離を長くするため、誘導電源４２４の供給が不足するときは、ＲＦＩＤ表示装置に電池などの外部電源４２５を追加し、電源管理モジュール４２７を処理モジュール４９の制御に従い、表示パネル４４に充足な電源を供給できる。また、外部電源を備えた能動形ＲＦＩＤ誘導システムのとき、この構想も適用できる。
【００２９】
図１０、１１と１２を参照する。そのうち、図１２に本発明によるＲＦＩＤ表示装置実施例２の概略図その２を示す。ＲＦＩＤ表示装置４（イージーカード）にストアバリューするとき、ＲＦＩＤリーダー４９１に近づけさせる。このＲＦＩＤリーダー４９１にＲＦＩＤリーダー（図示しない）を有する。このとき、ＲＦＩＤリーダー４９１が発信した無線信号４１１はＲＦＩＤアンテナ４１によって受信され、電源入力モジュール４２により電源４２４に変換する。変調モジュール４５は処理モジュール４９を介して、識別データ４６１を読み込み、識別データ４６１を変調信号に変調して、ＲＦＩＤアンテナ４１より信号をＲＦＩＤリーダー４９１に伝送し、ＲＦＩＤリーダー４９１にＲＦＩＤ表示装置４を認識させる。そして、ストアバリューが有効と判断したとき、ＲＦＩＤリーダー４９１より、ストアバリュー有効情報の無線信号４１１をＲＦＩＤ表示装置４に伝送される。復調モジュール４７は、無線信号４１１よりストアバリュー有効の通信データ４７１を解析した後、デジタル処理モジュール４９経由に表示ドライバーモジュール４３に引き渡す。このとき、処理モジュール４９は通信データ４７１に基づいて、ストアバリュー情報４６２をアクセスして、ストアバリューを完了し、パネル４８上の表示パネル４４にて、ストアバリュー有効に対応する文字と画像の表示区域４４１を不透明状態から透明状態に変更し、ストアバリュー有効の文字と画像は表示パネル４４の遮蔽がないため、利用者にストアバリューの有効を通知できる。一方、ストアバリューが失敗のとき、ＲＦＩＤリーダー４９１よりストアバリュー失敗を含めた無線信号４１１を前記のフローに従い、パネル４８上のストアバリュー失敗に対応する文字と画像の表示区域４４１を不透明状態から透明状態に変更させ、ストアバリュー失敗に対応する文字４８１と画像４８２を表示する。
【００３０】
図１３、１４に、本発明によるＲＦＩＤ表示装置実施例３のブロック図と概略図を示す。図示の通り、ＲＦＩＤ表示装置５は、ＲＦＩＤアンテナ５１、表示ドライバーモジュール一５３、表示パネル５４、処理モジュール５５、メモリモジュール５６、ＲＦＩＤ−直流切換回路５２１及び直流−直流回路５２３を含む。本実施例において、ＲＦＩＤアンテナ５１、ＲＦＩＤ−直流切換回路５２１、直流−直流回路５２３と、表示ドライバーモジュール５３は実施例１に同様のため、ここでの説明を省略する。本実施例において、ＲＦＩＤ−直流切換回路５２１の効果は、実施例１の電源入力モジュールに同様であり、直流−直流回路５２３の効果は、実施例１の電源管理モジュールに同様である。説明の都合上、図１３において、電源入力と変換関連の回路を一体化に整合する。
【００３１】
ＲＦＩＤ表示装置５がＲＦＩＤリーダー（図示しない）を備えたＲＦＩＤリーダー５７に近づくとき、電源入力モジュールは無線信号５１１を電源５２４に変換し、該電源５２４を処理モジュール５５とメモリモジュール５６にそれぞれ供給され、表示パネル５４は複数の画素５４１をアレイ（ａｒｒａｙ）状に配列し、表示ドライバーモジュール５３は各画素５４１をそれぞれ駆動し、透明状態又は不透明状態にそれぞれ変換する。メモリモジュール５６に複数の表示メッセージ５６１を格納し、処理モジュール５５により表示メッセージ５６１を読み込み、表示ドライバーモジュール５３は各画素５４１制御し、透明状態又は不透明状態に変換して、表示メッセージ５６１の画像５４２に対応する。処理モジュール５５は一定の時間間隔において、様々な表示メッセージ５６１を読み込み、表示パネル５４をその間隔時間において、表示メッセージに対応するそれぞれの画像５４２が表示される。時間間隔を短くすることにより、画像５４２を動画で表示することができる。
【００３２】
このほか、ＲＦＩＤ表示装置５の応用分野に従い、この装置はさらに電源管理モジュール（図示しない）と外部電源（図示しない）を含め、電気消費型モジュールに充足な電源と、消費電力の高いカラー表示パネルならびに誘導距離の増大に対応できる。その詳細な実施方法は実施例２に説明通りであるため、ここでの説明を省略する。
【００３３】
図１５に、本発明によるＲＦＩＤ誘導システム実施例４のブロック図を示す。この図において、ＲＦＩＤ誘導システムは、ＲＦＩＤ表示装置６１、プラットフォーム６２、とＲＦＩＤリーダー６３とを有する。ＲＦＩＤ表示装置６１は、ＲＦＩＤアンテナ６１１、表示ドライバーモジュール６１３、表示パネル６１４、格納モジュール６１５、ＲＦＩＤ−直流切換回路６１２１及び直流−直流回路６１２３を有する。プラットフォーム６２は、処理モジュール６２１、メモリモジュール６２２及びディスプレイ６２３を有する。そのうち、ＲＦＩＤアンテナ６１１、ＲＦＩＤ−直流切換回路６１２１、直流−直流回路６１２３、表示ドライバーモジュール６１３、表示パネル６１４、ＲＦＩＤリーダー６３及びプラットフォーム６２の機能は実施例１に同様のため、ここでの説明を省略する。
【００３４】
このほか、ＲＦＩＤ表示装置５の応用分野に従い、この装置はさらに電源管理モジュール（図示しない）と外部電源（図示しない）を組み込み、電気消費型モジュールに充足な電源と、消費電力の高いカラー表示パネルならびに誘導距離の増大に対応できる。その詳細な実施方法は実施例２に説明通りであるため、ここでの説明を省略する。
【００３５】
処理モジュール６２１とメモリモジュール６２２とを、電源６４と電気接続する。格納モジュール６１４に識別コード６１５１が格納され、メモリモジュール６２２は複数の表示メッセージ６２２１を表示し、処理モジュール６２１は表示メッセージ６２２１と識別コード６１５１を読み込み、ディスプレイ６２３にこの表示メッセージ６２２１に対応する画像６２３１を表示させる（図１６）。
【００３６】
図１５、１６及び１７を参照する。そのうち、図１６と１７は、それぞれ本発明によるＲＦＩＤ誘導システム実施例４の概略図その１と概略図その２である。ＲＦＩＤ表示装置６１を対応のＲＦＩＤリーダー６３の上部に置くと、プラットフォーム６２に内蔵された処理モジュール６２１は相応の識別コード６１５１を読み込み、ＲＦＩＤ表示装置６１のプラットフォーム６２上の対応位置を判断した上、ＲＦＩＤリーダー６３を駆動し、無線信号６１１１を送出する。ＲＦＩＤ−直流切換回路６１２１と直流−直流回路６１２３は、ＲＦＩＤリーダー６３の発生の無線信号６１１１を電源６１２４に変換し、表示ドライバーモジュール６１３は電源６１２４を入力した後、表示パネル６１４を駆動し、不透明状態から透明状態に変更させ、ディスプレイ６２３の表示内容は表示パネル６１４に遮ることなく、表示できる。それに伴い、ディスプレイ６２３の表示内容は処理モジュール６２１を介して、個々の表示メッセージ６２２１を読取り、それぞれの表示内容を表示できる。
【００３７】
図１８に、本発明によるジグソーパズルシステム実施例５のブロック図を示す。この図において、ジグソーパズルシステムは複数のジグソーパズルピース７１、ジグソーパズルプラットフォーム７２、複数のＲＦＩＤリーダー７３、格納装置７４及び処理装置７５を含む。各ジグソーパズルピース７１は、ＲＦＩＤ識別モジュール７１１、表示パネル７１２、及び表示ドライバーモジュール７１３を含め、ＲＦＩＤ（無線周波数識別）モジュール７１１に識別コード７１１１を格納する。ジグソーパズルプラットフォーム７２に、ジグソーパズルピース７１を並べる。ＲＦＩＤリーダー７３はジグソーパズルプラットフォーム７２に設け、各ＲＦＩＤリーダー７３はアレイ方式に配列されていて、無線信号７３１を送信し、識別コード７１１１を読み取る。格納装置７４はジグソーパズルプラットフォーム７２に設け、識別コード７１１１とＲＦＩＤリーダー７３との対応関係データ７４１を記録する。
【００３８】
処理装置７５はジグソーパズルプラットフォーム７２に設け、処理装置７５は走査により、各ＲＦＩＤ識別モジュール７１１の識別コード７１１１を読み込み、対応関係データ７４１に従い、各ＲＦＩＤリーダー７３とＲＦＩＤリーダー７３それぞれに読み込まれた識別コード７１１１の適合性を判断する。適合の知己、処理装置７５より適合のＲＦＩＤリーダー７３を制御し、無線信号７３１を継続的に送出させる。そのうち、ジグソーパズルピース７１のＲＦＩＤ識別モジュール７１１に無線信号７３１を入力すると、ＲＦＩＤ識別モジュール７１１より電源を発生し、表示ドライバーモジュール７１３に提供することにより、表示ドライバーモジュール７１３は表示パネル７１２を駆動し表示状態を改変して、ジグソーパズル画像を表示する。処理装置７５は、ＲＦＩＤリーダー７３とＲＦＩＤリーダー７３が読み込まれた識別コード７１１１同士の適合性がないことを判断したとき、処理装置７５はＲＦＩＤリーダー７３を制御し無線信号７３１の送信を中止させ、次の走査周期にて、再びそのＲＦＩＤリーダー７３の走査を行い、ジグソーパズルピース７１の識別コード７１１１の適合性を判断する。このフローはジグソーパズルが完成するまでに継続し、ジグソーパズルゲーム遊びができる。
【００３９】
ジグソーパズルピース７１は必要に応じて、ジグソーパズル画像７１４１を持つパネル７１４であっても良い。ジグソーパズルピース７１に無線信号７３１の入力がないときに、表示パネル７１２は表示ドライバーモジュール７１３の駆動により不透明状態が維持されていないため、ジグソーパズル画像７１４１は遮られている。一方、ジグソーパズルピース７１に無線信号７３１の入力があるとき、表示ドライバーモジュール７１３により、表示パネル７１２を透明状態に駆動されているため、ジグソーパズル画像７１４１は表示パネル７１２に遮ることなく、ジグソーパズル画像７１４１を表示できる。さらに、ジグソーパズルプラットフォーム７２は識別コード７１１１により、ジグソーパズルピース７１がそれぞれ対応のジグソーパズルプラットフォーム７２上に置かれていることを判断したときは、すべてのパネル７１４上のジグソーパズル画像７１４１を表示させ、完全なジグソーパズル画像を見ることができる。それに伴い、ジグソーパズルピース７１を並べてジグソーパズル遊びができる。
【００４０】
このほか、表示パネル７１２は必要に応じて、ジグソーパズル画像７１４１パネル７１４設置の代わりに、複数のアレイ方式で配列した画素（図示しない）を設けて、ジグソーパズルピース７１に無線信号７３１が入力されたとき、表示ドライバーモジュール７１３よりそれぞれの画素を透明状態又は不透明状態に制御して、ジグソーパズル画像を表示する。本実施例の実施態様は、図８、９及び図１４を参照することにより、理解できる。
【００４１】
以上に述べた通り、本発明によるＲＦＩＤ誘導システム、ＲＦＩＤ表示装置とそれらを使用するジグソーパズルシステムの効果は、表示パネルの表示状態を改変することにより、パネル上の文字又は画像の表示もしくは非表示制御を通じて、操作状態に従い文字又は画像の表示もしくは非表示することができる。
【００４２】
本発明によるＲＦＩＤ表示装置とそれらを使用するジグソーパズルシステムもう一つの効果は、表示ドライバーモジュールにより、複数の画素を制御することにより画像表示するため、動画方式に情報表示ができる。
【００４３】
本発明によるＲＦＩＤ表示装置とそれらを使用するジグソーパズルシステムのさらなる一つの効果は、処理装置により識別コードと対応関係データとの適合性を判断し、ＲＦＩＤリーダーより無線信号を発信させ、ＲＦＩＤ識別モジュールに電源を発生し、表示ドライバーモジュールに電源供給することにより、表示状態を改変し、ジグソーパズルピースにジグソーパズル画像を表示させ、ジグソーパズル遊びができる。
【００４４】
以上は実施例の列挙であり、本発明になんらの制限を加わるものではない。本発明の精神および範囲から逸脱しない限り、それら効果、修正または変更もなお本明細書の特許請求の範囲に含まれる。
【図面の簡単な説明】
【００４５】
【図１】公知技術による表示装置の概略図である。
【図２】公知技術による表示装置の立体図その１である。
【図３】公知技術による表示装置の立体図その２である。
【図４】公知技術による表示装置の立体図その３である。
【図５】本発明によるＲＦＩＤ誘導システムのブロック図である。
【図６】本発明によるＲＦＩＤ誘導システム実施例１のブロック図である。
【図７】本発明によるＲＦＩＤ誘導システム実施例１の構造態様図である。
【図８】本発明によるＲＦＩＤ誘導システム実施例１の第１の概略図である。
【図９】本発明によるＲＦＩＤ表示装置実施例１の第２の概略図である。
【図１０】本発明によるＲＦＩＤ表示装置実施例２のブロック図である。
【図１１】本発明によるＲＦＩＤ表示装置の第１の概略図である。
【図１２】本発明によるＲＦＩＤ表示装置の第２の概略図である。
【図１３】本発明によるＲＦＩＤ表示装置実施例３のブロック図である。
【図１４】本発明によるＲＦＩＤ表示装置実施例３の概略図である。
【図１５】本発明によるＲＦＩＤ表示装置実施例４のブロック図である。
【図１６】本発明によるＲＦＩＤ誘導システム実施例４の第１の概略図である。
【図１７】本発明によるＲＦＩＤ誘導システム実施例４の第２の概略図である。
【図１８】本発明によるジグソーパズルシステム実施例５のブロック図である。
【符号の説明】
【００４６】
１１  ソーラーパネル
１１１  光源
１１２、２３５、５２４、３３７、４２４、６４、６１２４  電源
１２、２３４、６１３、３３４、４３、５３、７１３  表示ドライバーモジュール
１３  液晶パネル
１４  キャリア
１４１、３３５１、４８２、５４２、６２３１  画像
２１、３１、６２  プラットフォーム
２２、３２、６３、７３  ＲＦＩＤリーダー
２２１、３２１、４１１、５１１、６１１１、７３１  無線信号
２３、３３、４、５、６１  ＲＦＩＤ表示装置
２３１、３３１、４１、５１、６１１  ＲＦＩＤアンテナ
２３２、３３２、４２  電源入力モジュール
２３３、３３３、４４、５４、６１４、７１２  表示パネル
３３２１、４２１、５２１、６１２１  ＲＦＩＤ−直流変換回路
４２７１、５２３、６１２３  直流−直流変換回路
３３５、４８、７１４  パネル
３３６  透明板
３３２３、４２７  電源管理モジュール
４４１  表示区域
４５  変調モジュール
４６  格納モジュール
４６１  識別データ
４７  復調モジュール
４７１  通信データ
４８１  文字
４９１、５７  ＲＦＩＤリーダー
５４１  画素
４９、５５、６２１  処理モジュール
５６、６２２  メモリモジュール
５６１、６２２１  表示メッセージ
６２３  ディスプレイ
７１  ジグソーパズルピース
７１１  ＲＦＩＤ識別モジュール
６１５１、７１１１  識別コード
７１４１  ジグソーパズル画像
７２  ジグソーパズルプラットフォーム
７５  処理装置
７４  格納装置
【図１】
2009061276.tif 000003
【図２】
2009061276.tif 000004
【図３】
2009061276.tif 000005
【図４】
2009061276.tif 000006
【図５】
2009061276.tif 000007
【図６】
2009061276.tif 000008
【図７】
2009061276.tif 000009
【図８】
2009061276.tif 000010
【図９】
2009061276.tif 000011
【図１０】
2009061276.tif 000012
【図１１】
2009061276.tif 000013
【図１２】
2009061276.tif 000014
【図１３】
2009061276.tif 000015
【図１４】
2009061276.tif 000016
【図１５】
2009061276.tif 000017
【図１６】
2009061276.tif 000018
【図１７】
2009061276.tif 000019
【図１８】
2009061276.tif 000020